(57)【要約】      （修正有）【課題】パレットに積載する被積載物の形態等に制約されず、また複数の被積載物の積載も可能であって、汎用性にすぐれ被積載物を固定する作業性にすぐれた樹脂製パレットを提供する。【解決手段】樹脂製パレット１は、被積載物を積載する樹脂製の台板２からなり、積載した被積載物を紐帯３により台板２に固定する。台板２は熱可塑性樹脂でなる中空二重壁構造である。中空二重壁構造の台板２には、その表壁４および裏壁５をそれぞれ窪ませて互いの先端部を一体化して溶着壁とした凹状リブ６，７を多数分散状に形成している。凹状リブ６，７の溶着壁８に、紐帯を結び付けまたは掛け止めるアンカーボルトの取付孔１０を設ける。【選択図】図１
2010105731.tif 000002
【特許請求の範囲】
【請求項１】
被積載物を積載する樹脂製の台板からなり、積載した被積載物を紐帯により台板に固定するようにした樹脂製パレットであって、
前記台板は、被積載物を固定する紐帯の係止部を多数分散状に設けて構成されていることを特徴とする樹脂製パレット。
【請求項２】
被積載物を積載する樹脂製の台板からなり、積載した被積載物を紐帯により台板に固定するようにした樹脂製パレットであって、
台板は熱可塑性樹脂でなる中空二重壁構造であり、
中空二重壁構造の台板には、その表壁および裏壁をそれぞれ窪ませて互いの先端部を一体化して溶着壁とした凹状リブを多数分散状に形成するとともに、これら凹状リブの全部または一部の溶着壁に、紐帯を結付けまたは掛け止める係止部材の取付孔を設けてあることを特徴とする樹脂製パレット。
【請求項３】
係止部材は、紐帯を通す環状頭部を有するアンカーボルトであって凹状リブの取付孔に着脱自在であることを特徴とする請求項１または２記載の樹脂製パレット。
【発明の詳細な説明】
【技術分野】
【０００１】
本発明は、被積載物を積載する樹脂製の台板からなり、積載した被積載物を紐帯により台板に固定するようにした樹脂製パレットに関するものである。
【背景技術】
【０００２】
樹脂製パレットであって被積載物を積載する台板を中空二重壁構造としたものとしては、例えば特開平９−９５３３７号公報に記載されているものが知られている。また、パレットに積載した被積載物を紐帯によりパレットに締結して固定することは前記特開平９−９５３３７号公報に開示されているほか、そのように構成されているものは、例えば特開２００４−２０３４６３号公報および特開２００７−１１２４６４号公報に記載されているものなどが既に知られている。さらに、特開平９−１５６６４２号公報には、補助部材を介することによってパレットの台板の任意の位置に被積載物を固定するようにしたものが紹介されている。
【特許文献１】特開平９−９５３３７号公報
【特許文献２】特開２００４−２０３４６３号公報
【特許文献３】特開２００７−１１２４６４号公報
【特許文献４】特開平９−１５６６４２号公報
【発明の開示】
【発明が解決しようとする課題】
【０００３】
前掲の特開平９−９５３３７号公報に記載されている樹脂製パレットは、台板が中空状であるから、その強度性を高めるため凹凸形状のリブを多数形成しているものである。そして、このパレットでは積載した被積載物とパレットとの間にロープを掛け回してパレットに被積載物を固定するものであるから、パレットに積載する被積載物もほぼ特定されて汎用性に欠けるうえ、被積載物を固定する作業性に劣るものであることは否めない。
【０００４】
一方、前掲の特開２００４−２０３４６３公報および特開２００７−１１２４６４公報には、パレットにバンド等の端部を係着して被積載物を固定するようにしたものが紹介されているが、そのバンド等の係着のための構成が複雑で取り扱い上不便である。特開平９−１５６６４２号公報に紹介されているパレットでは、被積載物の種類や積載位置にある程度の融通性はあるにしても補助部材を必要とするなど、構成が複雑であるし特殊な態様の使用に限られてしまうものである。
【０００５】
そこで、本発明の目的は、被積載物を積載する樹脂製の台板に、被積載物を固定する紐帯の係止部を多数分散状に設けて、積載した被積載物を紐帯により台板に固定するようにしたことにより、パレットに積載する被積載物の形態等に制約されず、また複数の被積載物の積載も可能であって、汎用性にすぐれ被積載物を固定する作業性にすぐれた樹脂製パレットを提供するものである。
【０００６】
また、本発明の他の目的は、被積載物を積載する樹脂製の台板を熱可塑性樹脂でなる中空二重壁構造とし、その表壁および裏壁をそれぞれ窪ませて互いの先端部を一体化して溶着壁とした凹状リブを多数分散状に形成するとともに、これら凹状リブの全部または一部の溶着壁に、紐帯を結び付けまたは掛け止める係止部材の取付孔を設けることにより、パレットの軽量化と併せてパレットの補強効果と併せて紐帯による被積載物の固定を適切にでき、かつそのための作業を容易にできる樹脂製パレットを提供するものである。
【課題を解決するための手段】
【０００７】
上記目的を達成する本発明の樹脂製パレットは、被積載物を積載する樹脂製の台板からなり、積載した被積載物を紐帯により台板に固定するようにした樹脂製パレットであって、前記台板は、被積載物を固定する紐帯の係止部を多数分散状に設けて構成されていることを特徴とするものである。
【０００８】
また、本発明による樹脂製パレットは、被積載物を積載する樹脂製の台板からなり、積載した被積載物を紐帯により台板に固定するようにした樹脂製パレットであって、台板は熱可塑性樹脂でなる中空二重壁構造であり、中空二重壁構造の台板には、その表壁および裏壁をそれぞれ窪ませて互いの先端部を一体化して溶着壁とした凹状リブを多数分散状に形成するとともに、これら凹状リブの全部または一部の溶着壁に、紐帯を結付けまたは掛け止める係止部材の取付孔を設けてあることを特徴とするものである。
【０００９】
本発明においては、係止部材が、紐帯を通す環状頭部を有するアンカーボルトであって、アンカーボルトは凹状リブの取付孔に着脱自在であることが好適である。
【発明の効果】
【００１０】
本発明によれば、被積載物を積載する樹脂製の台板に、被積載物を固定する紐帯の係止部を多数分散状に設けて、積載した被積載物を紐帯により台板に固定するようにしたことにより、パレットに積載する被積載物の形態等に制約されず、また複数の被積載物の積載も可能であって、汎用性にすぐれ被積載物を固定する作業性にすぐれた樹脂製パレットを得ることができる。
【００１１】
また、本発明によれば、被積載物を積載する樹脂製の台板を熱可塑性樹脂でなる中空二重壁構造とし、その表壁および裏壁をそれぞれ窪ませて互いの先端部を一体化して溶着壁とした凹状リブを多数分散状に形成するとともに、これら凹状リブの全部または一部の溶着壁に、紐帯を結び付けまたは掛け止める係止部材の取付孔を設けることにより、パレットの軽量化と併せてパレットの補強効果と併せて紐帯による被積載物の固定を適切にでき、かつそのための作業を容易にできる樹脂製パレットを得ることができる。
【発明を実施するための最良の形態】
【００１２】
図１ないし図４は本発明に係る樹脂製パレットの実施の形態を示し、図１は一部を破断して示す台板の全体斜視図および破断箇所の破線円で囲んだ部分の拡大図、図２は台板にカバーを被せた態様を示す斜視図、図３は図１のＡ−Ａ拡大断面図、図４は台板に被積載物を積載して紐帯により固定した態様を示す斜視図である。図５は台板の他の形態を示す斜視図、図６は図５に示す台板に被積載物を積載して紐帯により固定した態様を示す一部の断面図である。図７ないし図９はそれぞれ台板の被積載物の積載およびその固定態様を示し、図７は比較的大型の被積載物を１個積載した例を示す斜視図、図８は他の形態の被積載物を１個積載した例を示す斜視図および破線円で囲んだ部分の拡大図、図９は比較的小型の被積載物を２個積載した例を示す斜視図である。
【００１３】
図１ないし図４において、１は樹脂製パレットである。この樹脂製パレット１は、被積載物を積載する台板２と、台板２に積載した被積載物を紐帯３により台板２に固定するようにしたものである。台板２は熱可塑性樹脂をブロー成形してなる中空二重壁構造である。この中空二重壁構造の台板２には、その対向壁である表壁４と裏壁５を互いに凹状に窪ませて互いの先端部が溶着一体化された凹状リブ６，７を形成してある。凹状リブ６，７の溶着一体化された溶着壁８は表壁４と裏壁５とを合わせて一体化された部分であるから厚肉状となっている。その厚肉状の溶着壁８には、紐帯を結び付けまたは掛け止める係止部材であるアンカーボルト９を取り付けるための取付孔１０を設けてある。アンカーボルト９は軸部１１の上端に紐帯を通す環状頭部１２があり、軸部１１の先端側は雄ネジ１３となっている。アンカーボルト９は台板２の表壁４側から取付孔１０に挿し込み、裏壁５側から雄ネジ部１３にナット１４を締め付けることにより、台板２にアンカーボルト９を取り付けるが、取り付けたアンカーボルト９の環状頭部１２は台板２の表壁４から突出している。アンカーボルト９はナット１４の装脱により台板２に着脱自在である。１５は被積載物、１６は介在物である。この介在物１６は木板、発泡樹脂板、緩衝材などである。
【００１４】
図２に示すように、台板２には箱状のカバー体１７を被せるが、このため台板２の周辺部にはカバー体１７の開口端を嵌め込む凹状溝１８が形成されていて、台板２にはカバー体１７を不動状態に被せることができるようになっている。なお、カバー体１７は適宜の係止手段により台板２に係止する構成を備えているがそれについては図示していない。カバー体１７は必要に応じて使用するものである。台板２の成形手段としては、ブロー成形によるのが好適であるが、必ずしもそれに特定されるものではなく、他の成形方法によることができる。
【００１５】
本発明に係る樹脂製パレット１においては、図５および図６に示すように、台板２として脚部１９を有するものとすることができる。なお、２０はフォークリフトのフォークを示している。また台板２は必ずしも中空二重壁構造でなくてもよいが、これについては図示していない。本発明において紐帯３とは、細紐や帯紐などの紐類、ベルトあるいはワイヤー、チェーンなど被積載物１５の固定に使用可能なものの総称である。
【００１６】
図示の実施の形態においては、台板２に、凹状リブ６，７をほぼ全面にわたって多数分散状に設けて中空二重壁構造の補強構造となしているが、特に台板２の周辺部に凹状リブ６，７を多く設ける構成とすれば、台板２はその周辺部の補強効果により被積載物１５による荷重に対して全体的に所要の強度および剛性を確保することができる。そして、前記のように台板２に凹状リブ６，７をほぼ全面にわたって多数分散状または周辺部に集中的に多数設けることにより、被積載物１５の形態や大きさ等に応じて紐帯３を結び付け、または掛け止めて固定するのに適切な位置に所要数のアンカーボルト９を取り付けることができる。
【００１７】
本発明に係る樹脂製パレット１において、台板２のほぼ全面にわたって分散状に凹状リブ６，７が設けられているので、被積載物１５の形態や大きさ等に応じてアンカーボルト９を取り付ける位置を適宜適切に選択することができる。そして、図７ないし図９に例示するように、アンカーボルト９を板状の介在物１６を取り囲むように装着することにより介在物１６を不動状態に保持することができ、特に介在物１６にアンカーボルト９に係止させる係止凹部２１を形成しておけば一層好適である。このように台板２と被積載物１５との間に介在させる介在物１６を台板２に不動状態に保持できるため、運搬や輸送中などに台板２上で介在物１６が位置ずれを起こすおそれがなく、被積載物１５の紐帯３による固定状態を確実に保持することができる。なお、介在物１６が被積載物１５と台板２の間に介在することにより、介在物１６が無い時に運搬や輸送中などに被積載物１５が台板２の上を滑って動くことを防止することができる。
【００１８】
図７および図８はそれぞれ被積載物１６を１個積載した態様を、図９は被積載物１６を２個積載した態様を例示している。なお、本発明に係る樹脂製パレット１において被積載物１５の積載態様は図示の例に限定されることなく、適宜の積載態様とすることができるものである。
【００１９】
本発明に係る樹脂製パレット１の台板２を構成する熱可塑性樹脂は、ポリエチレン、ポリプロピレン、ポリスチレンなどのポリオレフィン系樹脂、ポリアミド樹脂、ポリエチレンテレフタート樹脂、ポリブチレンテレフタート樹脂、ポリスチレン樹脂、ＡＢＳ樹脂、ポリカーボネート樹脂、変性ポリフェニレンオキサイド樹脂あるいはこれらのブレンド物など、剛性にすぐれたブロー成形可能な熱可塑性樹脂である。
【００２０】
本発明に係る樹脂製パレット１は、被積載物１５を積載してフォークリフトのフォークで下面を支持することができる台板２と、この台板２に被積載物１５を覆うカバー体１７とでなり、カバー体１７は台板２の周辺部に設けた凹状溝１８に嵌め込んで固定される係止構造を有しているので、台板２に積載して前記のように紐帯３で固定した被積載物１５をカバー体１５で全体を覆って保護することができる。そして、被積載物１５を積載する台板２には、被積載物１５を固定する紐帯３の係止部を多数分散状に設けてあるので、積載する被積載物１５の形態等に制約を受けることなく、また複数の被積載物１５の積載も可能であって、包装積載態様の汎用性にすぐれ被積載物１５を固定する作業性にもすぐれているものである。
【図面の簡単な説明】
【００２１】
【図１】本発明に係る樹脂製パレットの実施の形態であって一部を破断して示す台板の全体斜視図および破断箇所の破線円で囲んだ部分の拡大図である。
【図２】台板にカバーを被せた態様を示す斜視図である。
【図３】図１のＡ−Ａ拡大断面図である。
【図４】台板に被積載物を積載して紐帯により固定した態様を示す斜視図である。
【図５】台板の他の形態を示す斜視図である。
【図６】図５に示す台板に被積載物を積載して紐帯により固定した態様を示す一部の断面図である。
【図７】比較的大型の被積載物を１個積載した例を示す斜視図である。
【図８】他の形態の被積載物を１個積載した例を示す斜視図および破線円で囲んだ部分の拡大図である。
【図９】比較的小型の被積載物を２個積載した例を示す斜視図である。
【符号の説明】
【００２２】
１  樹脂製パレット
２  台板
３  紐帯
４  表壁
５  裏壁
６，７  凹状リブ
８  溶着壁
９  アンカーボルト
１０  取付孔
１１  軸部
１２  環状頭部
１３  雄ネジ部
１４  ナット
１５  被積載物
１６  介在物
１７  カバー体
１８  カバー体の開口端を嵌め込む凹状溝
１９  支脚
２０  フォークリフトのフォーク
２１  係止凹部
【図１】
2010105731.tif 000003
【図２】
2010105731.tif 000004
【図３】
2010105731.tif 000005
【図４】
2010105731.tif 000006
【図５】
2010105731.tif 000007
【図６】
2010105731.tif 000008
【図７】
2010105731.tif 000009
【図８】
2010105731.tif 000010
【図９】
2010105731.tif 000011